(57)【要約】  タッチパネルの入力機能を利用して、キーロック等の利用制限の解除が可能な情報端末装置を提供する。情報端末装置１は、ディスプレイ（１１）とタッチパネル（１２）とを備えた情報端末装置であって、当該情報端末装置の利用制限を解除するためにタッチパネル（１２）へ入力される解除パターンを、図形パターンとして使用者に指定させて記憶するパターン記憶部（４３）と、前記タッチパネルへ入力された入力パターンと前記解除パターンとが合致するか否かを判断する照合部（４４）と、照合部（４４）において入力パターンと前記解除パターンとが合致すると判断された場合に、当該情報端末装置の利用制限を解除する制御部（３４）とを備える。
2011158768.tif 000002
【特許請求の範囲】
【請求項１】
表示部とタッチパネルとを備えた情報端末装置であって、
当該情報端末装置の利用制限を解除するために前記タッチパネルへ入力される解除パターンを、図形パターンとして使用者に指定させて記憶するパターン記憶部と、
前記タッチパネルへ入力された入力パターンと前記解除パターンとが合致するか否かを判断する照合部と、
前記照合部において入力パターンと前記解除パターンとが合致すると判断された場合に、当該情報端末装置の利用制限を解除する制御部とを備えた、情報端末装置。
【請求項２】
前記パターン記憶部に、前記解除パターンの入力を示唆する入力要求パターンが記憶されており、
当該情報端末装置の利用制限を解除する際には、前記表示部に前記入力要求パターンを表示する、請求項１に記載の情報端末装置。
【請求項３】
前記パターン記憶部に、前記解除パターンの入力を示唆する入力要求パターンが複数記憶されており、
当該情報端末装置の利用制限を解除する際には、前記表示部に前記複数の入力要求パターンから選択された入力要求パターンを表示する、請求項２に記載の情報端末装置。
【請求項４】
前記入力要求パターンが、前記解除パターンの入力を示唆するための複数の入力示唆領域を含み、
前記解除パターンは、前記複数の入力示唆領域から選択される１つまたは複数の入力示唆領域に基づいて設定される、請求項２または３に記載の情報端末装置。
【請求項５】
前記入力要求パターンが、前記解除パターンの入力を示唆するための複数の入力示唆領域を含み、
前記解除パターンは、前記複数の入力示唆領域の少なくとも一部の入力示唆領域と、前記複数の入力示唆領域以外の領域とに基づいて設定される、請求項２または３に記載の情報端末装置。
【請求項６】
前記入力要求パターンが、前記解除パターンの入力を示唆するための複数の入力示唆領域を含み、
前記解除パターンは、前記複数の入力示唆領域のうち、一部の入力示唆領域のみを通るパターンとして設定される、請求項２または３に記載の情報端末装置。
【請求項７】
前記入力要求パターンが、前記解除パターンの入力を示唆するための入力示唆領域を含み、
前記解除パターンは、前記入力示唆領域の外に存在するパターンとして設定される、請求項２または３に記載の情報端末装置。
【請求項８】
前記入力要求パターンとして、ボードゲームの盤面を表示し、
前記解除パターンとして、前記ボードゲームに用いられる駒のうち、特定の駒の動きを規定する、請求項２または３に記載の情報端末装置。
【請求項９】
前記タッチパネルへ使用者が入力したパターンから前記解除パターンを生成して前記パターン記憶部へ記憶させるパターン生成部をさらに備えた、請求項１ないし８のいずれか一項に記載の情報端末装置。
【発明の詳細な説明】
【技術分野】
【０００１】
本発明は、タッチパネル入力を備えた情報端末装置に関し、特に、タッチパネル入力を利用することにより、当該情報端末装置の利用制限（キーロック等）の解除が可能な情報端末装置およびこれを利用した個人認証方法に関する。
【背景技術】
【０００２】
従来、入力デバイスとしてタッチパネルを利用した表示装置が、携帯情報端末等に広く用いられている。例えば、特開２００９−３０３２０９号公報には、カメラを介して生成される映像データを映像表示領域に表示し、映像表示領域に対応して装着されるタッチ領域における接触入力によってタッチデータを生成し、生成されたタッチデータを映像データと共に記憶する移動通信端末機が開示されている。この移動通信端末機によれば、映像データの再生時に、タッチデータの入力時点に文字や絵などのタッチデータを表示することができる。【０００３】
近年、携帯情報端末の高機能化が進むと共に、携帯情報端末から利用できるサービスが広範囲に拡充している。例えば、携帯情報端末からショッピングサイトにアクセスして物品を購入したり、銀行等の金融機関の各種サービスを利用したりすることが可能となっている。したがって、携帯情報端末では、権限のない者に不正に使用されることを未然に防止するために、個人認証による使用制限や操作制限を設ける機能が重要視されている。
【発明の開示】
【０００４】
本発明は、上記の課題を鑑み、タッチパネルの入力機能を利用して、キーロック等の利用制限の解除が可能な情報端末装置を提供することを目的とする。
【０００５】
上記の目的を達成するために、ここに開示された情報端末装置は、表示部とタッチパネルとを備えた情報端末装置であって、当該情報端末装置の利用制限を解除するために前記タッチパネルへ入力される解除パターンを、図形パターンとして使用者に指定させて記憶するパターン記憶部と、前記タッチパネルへ入力された入力パターンと前記解除パターンとが合致するか否かを判断する照合部と、前記照合部において入力パターンと前記解除パターンとが合致すると判断された場合に、当該情報端末装置の利用制限を解除する制御部とを備えた構成である。
【０００６】
本発明によれば、タッチパネルの入力機能を利用して利用制限の解除を行うことにより、第三者による解読困難性の高い個人認証が可能な情報端末装置を提供できる。
【図面の簡単な説明】
【０００７】
【図１】図１は、第１の実施形態にかかる情報端末装置の概略構成を示す斜視図であり、表示部を本体部からスライドさせた状態を示す。
【図２】図２は、第１の実施形態にかかる情報端末装置の概略構成を示す正面図であり、表示部のスライドを本体部に対して閉じた状態を示す。
【図３】図３は、情報端末装置１の機能的構成を示すブロック図である。
【図４】図４は、キーロック解除画面の一例を示す模式図である。
【図５Ａ】図５Ａは、ロック解除パターンの表示の一例を示す図である。
【図５Ｂ】図５Ｂは、図５Ａのロック解除パターンとは異なる入力パターンであって、キーロックが解除されないパターンの一例を示す図である。
【図５Ｃ】図５Ｃは、図５Ａのロック解除パターンとは異なる入力パターンであって、キーロックが解除されないパターンの一例を示す図である。
【図６Ａ】図６Ａは、ロック解除パターンの表示の一例を示す図である。
【図６Ｂ】図６Ｂは、図６Ａのロック解除パターンとは異なる入力パターンであって、キーロックが解除されないパターンの一例を示す図である。
【図６Ｃ】図６Ｃは、図６Ａのロック解除パターンとは異なる入力パターンであって、キーロックが解除されないパターンの一例を示す図である。
【図７Ａ】図７Ａは、ロック解除パターンの表示の一例を示す図である。
【図７Ｂ】図７Ｂは、図７Ａのロック解除パターンとは異なる入力パターンであって、キーロックが解除されないパターンの一例を示す図である。
【図７Ｃ】図７Ｃは、図７Ａのロック解除パターンとは異なる入力パターンであって、キーロックが解除されないパターンの一例を示す図である。
【図８Ａ】図８Ａは、ロック解除パターンの表示の一例を示す図である。
【図８Ｂ】図８Ｂは、図８Ａのロック解除パターンとは異なる入力パターンであって、キーロックが解除されないパターンの一例を示す図である。
【図９Ａ】図９Ａは、ロック解除パターンの表示の一例を示す図である。
【図９Ｂ】図９Ｂは、図９Ａのロック解除パターンとは異なる入力パターンであって、キーロックが解除されないパターンの一例を示す図である。
【図９Ｃ】図９Ｃは、図９Ａのロック解除パターンとは異なる入力パターンであって、キーロックが解除されないパターンの一例を示す図である。
【図１０Ａ】図１０Ａは、ロック解除パターンの表示の一例を示す図である。
【図１０Ｂ】図１０Ｂは、図１０Ａのロック解除パターンとは異なる入力パターンであって、キーロックが解除されないパターンの一例を示す図である。
【図１０Ｃ】図１０Ｃは、図１０Ａのロック解除パターンとは異なる入力パターンであって、キーロックが解除されないパターンの一例を示す図である。
【図１１Ａ】図１１Ａは、ロック解除パターンの表示の一例を示す図である。
【図１１Ｂ】図１１Ｂは、図１１Ａのロック解除パターンとは異なる入力パターンであって、キーロックが解除されないパターンの一例を示す図である。
【図１１Ｃ】図１１Ｃは、図１１Ａのロック解除パターンとは異なる入力パターンであって、キーロックが解除されないパターンの一例を示す図である。
【図１２Ａ】図１２Ａは、タッチパネルに対してタッチ入力された線分の一例を示す図である。
【図１２Ｂ】図１２Ｂは、図１２Ａに示した線分から検出される座標を表す図である。
【図１２Ｃ】図１２Ｃは、図１２Ｂに示した座標のそれぞれを拡大して得られる連結領域を表す図である。
【図１３】図１３は、情報端末装置の動作を示すフローチャートである。
【図１４Ａ】図１４Ａは、第２の実施形態にかかる情報端末装置において、使用者がロック解除パターンを登録するためにタッチパネルへ入力するパターンの一例を示す図である。
【図１４Ｂ】図１４Ｂは、図１４Ａの入力パターンから入力許容範囲が生成される様子を表す図である。
【図１４Ｃ】図１４Ｃは、図１４Ｂの入力許容範囲から生成されたロック解除パターンを表す図である。
【図１４Ｄ】図１４Ｄは、図１４Ｃのロック解除パターンとは異なる入力パターンであって、キーロックが解除されないパターンの一例を示す図である。
【図１５Ａ】図１５Ａは、第２の実施形態にかかる情報端末装置において、使用者がロック解除パターンを登録するためにタッチパネルへ入力するパターンの一例と、そのパターンから検出される座標を示す図である。
【図１５Ｂ】図１５Ｂは、図１５Ａの入力パターンから生成されたロック解除パターンを表す図である。
【図１５Ｃ】図１５Ｃは、図１５Ｂのロック解除パターンとは異なる入力パターンであって、キーロックが解除されないパターンの一例を示す図である。
【図１５Ｄ】図１５Ｄは、図１５Ｂのロック解除パターンとは異なる入力パターンであって、キーロックが解除されないパターンの一例を示す図である。
【図１６】図１６は、第３の実施形態にかかる情報端末装置において、入力要求パターンとして表示される将棋の盤面を示す図である。
【発明を実施するための形態】
【０００８】
本発明の一実施形態にかかる情報端末装置は、表示部とタッチパネルとを備えた情報端末装置であって、当該情報端末装置の利用制限を解除するために前記タッチパネルへ入力される解除パターンを、図形パターンとして使用者に指定させて記憶するパターン記憶部と、前記タッチパネルへ入力された入力パターンと前記解除パターンとが合致するか否かを判断する照合部と、前記照合部において入力パターンと前記解除パターンとが合致すると判断された場合に、当該情報端末装置の利用制限を解除する制御部とを備えた構成である（第１の構成）。
【０００９】
「図形パターン」とは、前記タッチパネル上に連続または不連続に描かれる任意のパターンを意味する。例えば、前記タッチパネル上の複数箇所にタッチすることで入力される複数の点の集合も、「図形パターン」に含まれる。あるいは、前記タッチパネル上に描かれる線で構成される任意のパターンも、図形パターンに含まれる。もちろん、点と線との組み合わせによって形成されるパターンも、図形パターンに含まれる。第１の構成によれば、数字や文字を組み合わせたパスワードとしての解除パターンを用いる場合と比較して、解除パターンのバリエーションの多さと、当該情報端末装置の使用者による解除パターンの記憶の容易性とを両立することができる。これにより、第三者による解読困難性の高い個人認証が可能な情報端末装置を提供できる。
【００１０】
上記の第１の構成にかかる情報端末装置において、前記パターン記憶部に、前記解除パターンの入力を示唆する入力要求パターンが記憶されており、当該情報端末装置の利用制限を解除する際には、前記表示部に前記入力要求パターンを表示することが好ましい（第２の構成）。第２の構成によれば、使用者は、表示された入力要求パターンを見ながら解除パターンを入力することとなる。入力要求パターンとしては、解除パターンのヒントとなるようなパターンを用いても良い。そのようなパターンを用いれば、使用者が、正しい解除パターンを思い出すための助けとなる、あるいは、上記とは逆に、入力要求パターンとして、意図的に、正しくない解除パターンへ誘導するようなパターンを用いても良い。そのようなパターンを用いれば、正規の使用者でない者が正しい解除パターンを推測することを困難とすることができ、解読困難性をより高くすることができる。
【００１１】
上記の第２の構成にかかる情報端末装置において、前記パターン記憶部に、前記解除パターンの入力を示唆する入力要求パターンが複数記憶されており、当該情報端末装置の利用制限を解除する際には、前記表示部に前記複数の入力要求パターンから選択された入力要求パターンを表示することが好ましい（第３の構成）。第３の構成によれば、複数の入力要求パターンから選択された入力要求パターンが表示されるので、常に同じ入力要求パターンが表示される場合に比べて、正規の使用者でない者が正しい解除パターンを推測することを困難とすることができ、解読困難性をより高くすることができる。
【００１２】
上記の第２または第３の構成にかかる情報端末装置において、前記入力要求パターンが、前記解除パターンの入力を示唆するための複数の入力示唆領域を含み、前記解除パターンは、前記複数の入力示唆領域から選択される１つまたは複数の入力示唆領域に基づいて設定されることが好ましい（第４の構成）。第４の構成によれば、複数の入力示唆領域から選択される少なくとも１つの領域に基づいて解除パターンが設定されていることにより、設定され得る解除パターンのバリエーションの数を多くすることができる。これにより、正規の使用者でない者が正しい解除パターンを推測することを困難とすることができ、解読困難性をより高くすることができる。
【００１３】
上記の第２または第３の構成にかかる情報端末装置において、前記入力要求パターンが、前記解除パターンの入力を示唆するための複数の入力示唆領域を含み、前記解除パターンは、前記複数の入力示唆領域の少なくとも一部の入力示唆領域と、前記複数の入力示唆領域以外の領域とに基づいて設定されることが好ましい（第５の構成）。第５の構成によれば、解除パターンが、入力示唆領域と入力示唆領域以外の領域とに基づいて設定される。したがって、正規の使用者であれば、解除パターンを設定したときの記憶などに基づいて、入力示唆領域以外の領域における解除パターンを正しく入力することができるが、正規の使用者でない者にはそのような入力が極めて困難である。
【００１４】
上記の第２または第３の構成にかかる情報端末装置において、前記入力要求パターンが、前記解除パターンの入力を示唆するための複数の入力示唆領域を含み、前記解除パターンは、前記複数の入力示唆領域のうち、一部の入力示唆領域のみを通るパターンとして設定されることが好ましい（第６の構成）。第６の構成によれば、正規の使用者でない者が複数の入力示唆領域から解除パターンを類推することを、より困難とすることができる。
【００１５】
上記の第２または第３の構成にかかる情報端末装置において、前記入力要求パターンが、前記解除パターンの入力を示唆するための入力示唆領域を含み、前記解除パターンは、前記入力示唆領域の外に存在するパターンとして設定されることが好ましい（第７の構成）。第７の構成によれば、解除パターンが、入力示唆領域の外に存在するパターンとして設定されているので、人間の心理の裏をかいて、より高い解読困難性を実現できる。すなわち、入力示唆領域が表示された場合、入力示唆領域内に何らかの入力をすべきであると想像することが、人間の一般的な心理である。したがって、意図的に、解除パターンを、入力示唆領域の外に存在するパターンとして設定すれば、第三者が解除パターンを推測することが困難となる。
【００１６】
上記の第２または第３の構成にかかる情報端末装置において、前記入力要求パターンとして、ボードゲームの盤面を表示し、前記解除パターンとして、前記ボードゲームに用いられる駒のうち、特定の駒の動きを規定することが好ましい（第８の構成）。なお、解除パターンとして規定する駒の動きは、実際のボードゲームにおけるその駒の動かし方のルールに従ったものとすれば、使用者が解除パターンを容易に記憶することができる。一方、解除パターンとして規定する駒の動きを、実際のボードゲームにおけるその駒の動かし方のルールとは異なるものとしても良い。この場合、人間の心理の裏をかいて、より高い解読困難性を実現できる。すなわち、ボードゲームの駒が表示された場合、駒の動かし方のルールにしたがった解除ルールが用いられていると想像することが、人間の一般的な心理である。したがって、意図的に、ルールにしたがわない動きを解除パターンとすれば、第三者が解除パターンを推測することが困難となる。
【００１７】
上記の第１ないし第８のいずれか構成にかかる情報端末装置において、前記タッチパネルへ使用者が入力したパターンから前記解除パターンを生成して前記パターン記憶部へ記憶させるパターン生成部をさらに備えたことが好ましい（第９の構成）。第９の構成によれば、使用者自身が入力したパターンから生成された解除パターンを利用することが可能となる。これにより、使用者以外の第三者にとって、解除パターンの解読困難性が高くなる。
【００１８】
[実施の形態]
以下、本発明のより詳細な実施形態について、図面を参照しながら説明する。以下で参照する各図は、説明の便宜上、本発明の実施形態の構成部材のうち、本発明を説明するために必要な主要部材のみを簡略化して示したものである。
【００１９】
［第１の実施形態］
［情報端末装置の構成］
最初に、図１および図２を参照しながら、本発明の第１の実施形態にかかる情報端末装置の概略構成について説明する。図１および図２は、本発明の一実施形態にかかる情報端末装置１の概略構成を示す図である。
【００２０】
図１に示すように、本実施形態にかかる情報端末装置１は、表示部１０と本体部２０とを備えている。表示部１０は、本体部２０に対してスライド可能に構成されている。すなわち、図１は、表示部１０を本体部２０からスライドさせて、本体部２０のキーボード２１が使用できる状態を示した斜視図である。図２は、表示部１０のスライドを本体部２０に対して閉じた状態を示した正面図である。なお、図１の例においては、情報端末装置１の短辺方向に沿って表示部１０がスライドする構成を例示しているが、表示部１０が長辺方向またはその他の方向（例えば斜め方向）に沿ってスライドする構成であっても良い。
【００２１】
表示部１０は、液晶ディスプレイ１１と、液晶ディスプレイ１１の表面に設けられたタッチパネル１２とを備えている。なお、この実施形態では、表示部１０が液晶ディスプレイ１１を備えた構成を例示するが、液晶ディスプレイ以外のディスプレイを利用することも可能である。
【００２２】
本体部２０は、その内部にバッテリ、メモリ、および各種の制御回路を有すると共に、その表面に、前述のキーボード２１を備えている。なお、キーボード２１の種類は、情報端末装置１の用途に応じて任意である。キーボード２１は、例えば、主として電話番号等の入力に用いられるテンキーや、番号入力と文字入力との両方が可能なテンキーや、各種の機能が割り当てられたファンクションキー等を有する。また、キーボード２１として、いわゆるフルキーボード等を用いることも可能である。
【００２３】
なお、情報端末装置１の用途は任意である。情報端末装置１は、これらにのみ限定されないが、例えば、携帯電話、ＰＤＡ（Ｐｅｒｓｏｎａｌ  Ｄｉｇｉｔａｌ  Ａｓｓｉｓｔａｎｔｓ）、スマートフォン、電子辞書、携帯ゲーム機、音楽・映像プレーヤ、パーソナルコンピュータ、電子書籍閲覧機等の様々な用途に用いることができる。
【００２４】
タッチパネル１２は、指やタッチペンがその表面に接触または近接したことを検知して、接触または近接位置の座標情報を出力する。この座標情報に基づいて、後述する演算回路により、タッチパネル１２のどの位置にどのようなパターンが入力されたかを検出することができる。
【００２５】
タッチパネル１２の種類は特に限定されず、任意の方式のタッチパネルを利用することができる。例えば、これらにのみ限定されないが、抵抗膜方式、静電容量方式、電磁誘導方式、赤外線方式、表面弾性波方式（超音波方式）、および、光センサを用いた画像認識方式等のタッチパネルを、タッチパネル１２として採用することができる。なお、光センサを用いた画像認識方式のタッチパネルの場合は、液晶ディスプレイ１１の表面に積層されるのではなく、液晶ディスプレイ１１の内部構造として光センサが組み込まれた、タッチパネル機能付きの液晶ディスプレイ１１として構成される場合もある。このような光センサとしては、例えば、フォトダイオード、フォトトランジスタ、ＣＣＤ素子、またはＣＭＯＳ素子等が用いられる。
【００２６】
ここで、図３を参照しながら、情報端末装置１の機能的構成について説明する。図３は、情報端末装置１の機能的構成を示すブロック図である。図３に示すように、情報端末装置１は、入力反復検出部３１、座標演算部３２、認識演算部３３、中央制御部３４、表示演算部３５、高周波入出力部３６、データ処理部３７、電話音声入出力部３８、電話音声処理部３９、キー入力処理部４０、入力補助部４１、キー制御処理部４２、パターン記憶部４３、および、照合部４４を備えている。なお、ここでは、情報端末装置１が電話機能を有する例を示しているが、電話機能は必須ではない。したがって、電話音声入出力部３８および電話音声処理部３９は省略される場合がある。なお、情報端末装置１を実施するに際しては、当該装置に必要とされる機能に応じて、図３には示されていない任意の構成要素が付加されていても良い。
【００２７】
入力反復検出部３１は、指またはタッチペンによって単位時間内に反復した入力が行われていれば、それを検出する。すなわち、入力反復検出部３１は、意図しない偶然的なタッチと、入力を意図した有意なタッチとを識別する役割を果たす。座標演算部３２は、入力反復検出部３１が反復入力を検出した場合に、入力が行われた位置の座標情報を演算する。座標演算部３２において演算された座標情報は、認識演算部３３へ送られる。認識演算部３３は、座標演算部３２から受け取った座標情報にしたがって、入力が単点であるか線であるかを判別する。
【００２８】
中央制御部３４は、各部からの情報を受け取ると共に、受け取った情報に基づいて各部を制御することによって、情報端末装置１の全体動作を制御する。
【００２９】
表示演算部３５は、液晶ディスプレイ１１へ表示させる画像データの演算や、液晶ディスプレイ１１の表示動作等を制御するデータの演算を行う。
【００３０】
高周波入出力部３６は、携帯電話のアンテナや無線通信等を介した送受信を行う。データ処理部３７は、高周波入出力部３６で送受信する各種データの処理を行う。例えば、パケット通信によって送受信されるパケットの処理や、必要とされる場合には、データの暗号化および復号化処理等を行う。
【００３１】
電話音声入出力部３８は、携帯電話のアンテナを介して、電話音声の送受信を行う。電話音声処理部３９は、電話音声入出力部３８で送受信される音声のサンプリングや復元処理を行う。
【００３２】
キー入力処理部４０は、キーボード２１に対してキーボードスキャンを行い、押されたキーの位置と押された時間とに基づいて、入力された文字、数字、または機能等を時系列的に特定する処理を行う。この処理により、キーボード２１からの入力データが取得される。入力補助部４１は、キー制御処理部４２による制御の下で、キーボード２１のキーを点灯させたり、キーが押されたときにプッシュ音を再生したりすることにより、誤操作を防止する。
【００３３】
パターン記憶部４３は、キーロック解除を行う際に用いられる入力要求パターンと、使用者が予め登録しておくロック解除パターンとを記憶する。照合部４４は、タッチパネル１２から入力されたパターンと、パターン記憶部４３に登録されているロック解除パターンとを照合し、合致していればキーロックを解除する。
【００３４】
［キーロック解除］
ここで、以上の構成にかかる情報端末装置１における、タッチパネル１２を利用したキーロック解除について説明する。情報端末装置１は、タッチパネル１２からの入力によってキーロック解除をしなければ、キーボード２１からのキー入力が受け付けられないように構成されている。また、一旦、キーロック解除を行っても、何も操作せずに所定の時間が経過すると、自動的にキーロックがかかるように構成されていることが好ましい。
【００３５】
情報端末装置１は、例えば、電源が投入された場合、または、パワーセーブモード（液晶ディスプレイ１１がオフになった状態）においてタッチパネル１１が指またはペンでタッチされたときに、液晶ディスプレイ１１にキーロック解除画面を表示する。
【００３６】
図４は、キーロック解除画面の一例を示す模式図である。図４の例では、液晶ディスプレイ１１に、３つの入力示唆領域５１ａ，５１ｂ，５１ｃを有する入力要求パターンが表示されている。このキーロック解除画面の表示は、パターン記憶部４３に記憶されている入力要求パターンを用い、中央制御部３４および表示演算部３５の制御の下で実現される。なお、図４の例では、二重線で表された四角形の入力示唆領域５１ａ〜５１ｃが表示されているが、入力要求パターンに含まれる入力示唆領域の形状、大きさ、および個数は任意である。なお、入力要求パターンは、１つの類型としては、キーロックを解除するためのロック解除パターンと一致する入力示唆領域を含み、キーロックを解除しようとする者に対してロック解除パターンのヒントを与えるパターンである。あるいは、入力要求パターンは、別の類型としては、意図的にロック解除パターンと一致しない入力示唆領域を含むことにより、ロック解除パターンを推測することを困難とする。
【００３７】
なお、前述のとおり、パターン記憶部４３には、キーロックを解除するためのロック解除パターンが予め記憶されている。つまり、情報端末装置１の正規使用者は、自らが決定したロック解除パターンを予め登録しておく。そして、キーロック解除画面が表示された際に、予め登録されているロック解除パターンが正しく入力された場合に、キーロックが解除されることとなる。この反対に、入力されたパターンが、予め登録されているロック解除パターンとは異なっている場合は、キーロックは解除されない。
【００３８】
［ロック解除パターンと入力パターンの関係］
ここで、ロック解除パターンと入力パターンとの対応関係の例をいくつか示す。なお、以下の例において、図５Ａ等に示す丸印は、タッチ入力がなされた箇所を模式的に表す記号であって、ペン等でタッチされた際の実際の接触箇所の大きさを示すものではない。
【００３９】
例えば、図５Ａの例においては、ロック解除パターンとして、入力要求パターンの入力示唆領域５１ａ〜５１ｃのすべてを含むパターンが登録されている。すなわち、図５Ａの例では、入力示唆領域５１ａ〜５１ｃのすべてに対して、丸印５２ａ〜５２ｃで示すように、１回ずつタッチ入力がなされることにより、キーロックが解除される。なお、キーロック解除の条件としては、ロック解除パターンを構成する入力示唆領域５１ａ〜５１ｃがタッチされる順序が特定の順序に定められていても良いし、これらの領域がタッチされる順序は任意で良いものとしても良い。なお、前者の場合は、入力示唆領域５１ａ〜５１ｃがタッチされるべき順序を表す情報も、パターン記憶部４３に登録されていることが必要となる。
【００４０】
ここで、図５Ａに示したロック解除パターンに対して、例えば、図５Ｂにおいて丸印５２ｄで示すように、ロック解除パターンに含まれない位置に余分にタッチ入力した場合は、照合部４４は、入力パターンとロック解除パターンとが不一致であると判断する。この判断結果は照合部４４から中央制御部３４へ送られ、中央制御部３４が、キーロックを解除すべきでないと判断する。また、図５Ｃに示すように、ロック解除パターンに含まれる入力示唆領域５１ｃへのタッチ入力が行われなかった場合も、照合部４４は、入力パターンとロック解除パターンとが不一致であると判断する。
【００４１】
図６Ａの例では、入力要求パターンの入力示唆領域５１ａ〜５１ｃのうち、入力示唆領域５１ａおよび５１ｂのみがロック解除パターンに含まれている。したがって、図６Ａの例では、丸印５３ａおよび５３ｂに示すように、入力示唆領域５１ａおよび５１ｂに１回ずつタッチすることにより、キーロックが解除される。ロック解除パターンに含まれる入力示唆領域５１ａおよび５１ｂの少なくとも一方がタッチ入力されていない場合は、キーロックは解除されない。
【００４２】
この場合、図６Ｂにおいて丸印５３ｃで示すように、ロック解除パターンに含まれない入力示唆領域５１ｃに余分にタッチ入力がなされた場合には、照合部４４は、入力パターンとロック解除パターンとが不一致であると判断する。したがって、この場合は、キーロックは解除されない。また、図６Ｃにおいて丸印５３ｄに示すように、入力示唆領域５１ａおよび５１ｂに加えて、入力示唆領域以外の箇所にタッチ入力がなされた場合も、照合部４４は、入力パターンとロック解除パターンとが不一致であると判断する。したがって、この場合もキーロックは解除されない。
【００４３】
また、図７Ａの例は、ロック解除パターンとして、入力示唆領域５１ａ〜５１ｃ以外の箇所にある領域５１ｄが登録されている例である。なお、図７Ａの領域５１ｄは、ロック解除パターンに含まれるが、入力要求パターンにおける入力示唆領域としては表示されない。つまり、領域５１ｄは、図７Ａにおいては破線で示しているが、実際の画面には表示されない。したがって、使用者は、記憶のみに基づいて、図７Ａに丸印５４ａで模式的に示すように、領域５１ｄに対してタッチ入力を行う必要がある。言うまでもなく、領域５１ｄがタッチ入力されない場合は、キーロックは解除されない。このように、入力示唆領域以外の箇所にある領域にロック解除パターンの少なくとも一部を設定可能とすることで、情報端末装置１の正規の使用者は記憶に基づいてキーロック解除を行うことができる反面、第三者にとっては、ロック解除パターンを解読することが極めて困難となる。
【００４４】
なお、この場合も、図７Ｂおよび図７Ｃに示すように、領域５１ｄに加えて、ロック解除パターンに含まれない位置（図７Ｂの丸印５４ｂまたは図７Ｃの丸印５４ｃ）に余分にタッチ入力したような場合には、キーロックは解除されない。
【００４５】
図８Ａの例では、入力示唆領域５１ａ〜５１ｃのうちの入力示唆領域５１ｂと、入力示唆領域外にある領域５１ｄとが、ロック解除パターンとして登録されている。領域５１ｄは、ロック解除パターンに含まれるが、入力要求パターンにおける入力示唆領域としては表示されない。この例では、図８Ａに丸印５５ａおよび５５ｂとして示すように、ロック解除パターンに含まれる領域５１ｂと領域５１ｄとの両方にタッチすることにより、キーロックが解除される。なお、図８Ｂに示すように、ロック解除パターンに含まれない位置である領域５１ｃにタッチ入力したり（図８Ｂの丸印５５ｃ）、ロック解除パターンに含まれる領域５１ｄへのタッチ入力を行わなかったりした場合には、キーロックは解除されない。
【００４６】
なお、図５Ａ、図６Ａ、または図８Ａにそれぞれ例示したようなロック解除パターンにおいて、ロック解除パターンに含まれる領域の一部を、入力要求パターンにおいて入力示唆領域として表示しないようにしても良い。この場合、入力要求パターンに入力示唆領域として表示しない領域に対しては、使用者は、記憶にしたがってタッチ入力を行うこととなるが、第三者による解読をより困難にすることができる。
【００４７】
また、図５Ａ、図６Ａ、図７Ａ、および図８Ａは、ロック解除パターンを、タッチ入力すべき点（より正確には、タッチ入力すべき領域）で規定した例であるが、ロック解除パターンを線で規定することも可能である。例えば、図９Ａは、入力示唆領域５１ａと５１ｂとを結ぶ線分Ｌが、ロック解除パターンとして登録されている例である。なお、図９Ａに示したロック解除パターンは線分であるが、ロック解除パターンは曲線であっても良い。この例では、使用者が入力示唆領域５１ａと５１ｂとを結ぶ線分Ｌを入力すると、キーロックが解除される。また、図９Ｂに示すように、使用者によって入力されたパターンの両端が入力示唆領域５１ａおよび５１ｂのいずれにも存在しない場合や、図９Ｃに示すように、使用者によって入力されたパターンの一端が入力示唆領域５１ａまたは５１ｂに存在しない場合は、照合部４４は、入力パターンとロック解除パターンとが不一致であると判断する。この判断結果は照合部４４から中央制御部３４へ送られ、中央制御部３４が、キーロックを解除すべきでないと判断する。なお、線として規定されるロック解除パターンにおいて、線分の両端のどちらが始点であるかをパターン記憶部４３へ記憶しておき、入力パターンの始点がロック解除パターンの始点に対応することを、キーロック解除の条件としても良い。あるいは、入力パターンの始点と終点との関係が、ロック解除パターンの始点と終点との関係とは逆であっても良いというルールにしても良い。
【００４８】
図１０Ａの例では、液晶ディスプレイ１１に、６個の入力示唆領域６１ａ〜６１ｆが表示され、入力示唆領域６１ｃと６１ｄとを結び、他の入力示唆領域を横切らない曲線が、ロック解除パターンとして登録されている。この場合、図１０Ｂに示すように、使用者によって入力されたパターンの両端が、入力示唆領域６１ｃおよび６１ｄのそれぞれに存在しない場合は、キーロックは解除されない。また、図１０Ｃに示すように、使用者によって入力されたパターンの両端が入力示唆領域６１ｃおよび６１ｄに存在していたとしても、他の入力示唆領域（ここでは６１ｂ）を横切っているような場合に、照合部４４は、入力パターンとロック解除パターンとが不一致であると判断する。つまり、図１０Ａに示したロック解除パターンの場合、照合部４４は、入力されたパターンの両端がロック解除パターンと一致しており、かつ、入力されたパターンが途中で他の入力示唆領域を横切らない、ということを条件として、入力パターンとロック解除パターンとが一致すると判断する。
【００４９】
なお、図１０Ａの例では、６個の入力示唆領域のうち、６１ｃと６１ｄとを結び、他の入力示唆領域を横切らない曲線が、ロック解除パターンとして登録されているが、３個以上の入力示唆領域を結ぶ曲線をロック解除パターンとしても良い。
【００５０】
また、図１１Ａに示すように、複数の線を含むロック解除パターンを設定することも可能である。この場合も、入力されたパターンのそれぞれについて、両端がロック解除パターンと一致することが、キーロック解除の条件となる。例えば、図１１Ｂの例では、線分７１ｃはロック解除パターンの線分７１ａと一致するが、線分７１ｄの両端がロック解除パターンの線分７１ｂの両端と一致しない。図１１Ｃの例では、線分７１ｆはロック解除パターンの線分７１ｂと一致するが、線分７１ｅの両端がロック解除パターンの線分７１ａの両端と一致しない。したがって、図１１Ｂおよび図１１Ｃに示された入力パターンでは、キーロックは解除されない。
【００５１】
なお、複数の入力要求パターンと、それらの入力要求パターンのそれぞれに対応するロック解除パターンとを予め登録しておき、使用者が、キーロック解除の都度に、どの入力要求パターンを用いるかを選択できるようにすることも好ましい。
【００５２】
［照合部による判断手法］
なお、図９Ａ〜図１１Ａのような、ロック解除パターンおよび入力パターンが線である場合の、照合部４４における判断手法の詳細は次のとおりである。
【００５３】
使用者が、図１２Ａに示すように、タッチパネル１２に線分Ｌ１をタッチ入力した場合、入力反復検出部３１、座標演算部３２、および認識演算部３３は、所定の読取周期で座標情報を検出するので、実際に検出される座標は、図１２Ｂに示すように、不連続な点Ｐ１〜Ｐ５の集合となる。
【００５４】
照合部４４は、認識演算部３３から得られた座標情報に基づき、点Ｐ１〜Ｐ５のそれぞれを、適度な大きさを有する領域（拡大領域Ａ１〜Ａ５）に拡大する。この拡大領域Ａ１〜Ａ５の大きさは、互いに重なりを持つように、読取周期の長さやタッチ入力の移動速度等の諸条件に応じて適宜に決定することができる。例えば、１回の読取周期に指またはペンが移動する距離の平均値が約２５ｍｍであることが、計算または実験から予測されるものとする。この場合、検出された座標の点を拡大した場合に、その拡大領域が互いに重なりを持つようにするためには、拡大領域の直径は約３０ｍｍとすることが好ましい。
【００５５】
照合部４４は、上述のように、検出された座標の点を、所定の大きさを有する領域に拡大し、拡大領域同士が実際に重なり合うかどうかを判断する。例えば、拡大領域同士が重なり合わない部分がある場合は、線が連結しておらず、途中で途切れているということになる。そして、照合部４４は、図１２Ｃに示すように、拡大領域Ａ１〜Ａ５が連結している範囲内で、ロック解除パターンと一致するか否かを判断する。
【００５６】
［タッチ入力の検出方法］
また、タッチパネル１２におけるタッチ入力の検出について、以下のような手法をとることが好ましい。
【００５７】
まず、タッチパネル１２に対してタッチ入力があったことが検出された場合、そこでタッチパネル１２から出力される信号のレベルをＳ１とし、タッチパネル１２にタッチ入力がないときに出力される信号のレベルをＳ２とし、Ｓ１からＳ２を差し引いた値が、予め定められた閾値を超えるか否かを判断する。ここで、Ｓ２の値としては、タッチパネル１２へタッチ入力がない状態における出力信号の平均値、もしくは、タッチ入力の直前の出力信号値を用いる。すなわち、タッチパネル１２は、どのような方式のタッチパネルであっても一般的に、タッチ入力が全くない状態においても、何らかのノイズ成分を検知し、雑音を含んだ信号（Ｓ２）を出力している。したがって、タッチパネル１２にタッチ入力があったときの信号Ｓ１から信号Ｓ２を差し引くことにより、ノイズ成分に影響されることなく、タッチ入力の有無をより高精度に検出することができる。
【００５８】
さらに、タッチパネル１２においては、一般的に、指またはタッチペンが接触または近接した場合に、複数のセンサが反応する場合が多い。また、離散位置にある複数のセンサが反応する場合もある。したがって、使用者が、タッチ入力しようとした位置座標をより正確に検出するためには、タッチ入力がなされたと推定される座標を中心とした所定の範囲において、センサ出力が最大値をとる位置、または、重み重心点の位置を求め、求められた位置をタッチ入力がなされた位置として検出することが好ましい。これにより、使用者がタッチ入力をした位置をより正確に検出することができ、タッチ入力位置の近傍からの雑音信号の影響を緩和することもできるという利点がある。
【００５９】
また、人間の動作のあいまいさの影響を排除するために、入力反復検出部３１において、複数回の読取周期にわたって検出された信号の総和を求め、その総和を閾値と比較することによってタッチ入力の有無を推定し、かつ、タッチ入力があったと推定された期間が所定の回数連続した場合にはじめて、１回のタッチ入力があったと判断することも好ましい。
【００６０】
例えば、タッチパネル１２からの読取周期が０．０１秒であり、０．０１秒間隔の時刻Ｔ１，Ｔ２，Ｔ３，・・・，Ｔｉ，Ｔｉ＋１，・・・にタッチパネル１２から信号を検出するものとする。この場合に、時刻Ｔｋ−１０，Ｔｋ−９，・・・・，Ｔｋ−１に検出された信号の総和を求めて、求められた総和を閾値と比較することにより、時刻Ｔｋ−１０〜Ｔｋ−１の期間にタッチ入力があったか否かを判断する。同様にして、時刻Ｔｋ，Ｔｋ＋１，・・・・，Ｔｋ＋９に検出された信号の総和を求めて、求められた総和を閾値と比較することにより、時刻Ｔｋ〜Ｔｋ＋９の期間にタッチ入力があったか否かを判断する。このように、０．１秒の期間（読取周期１０サイクル）毎に、タッチ入力の有無を判断し、例えば連続０．３秒以上にわたって、タッチ入力があったと判断された場合に、１回のタッチ入力があったものと判断する。このような処理により、あいまいなタッチ入力による誤動作を抑制することができる。
【００６１】
［情報端末装置の全体動作］
ここで、図１３を参照し、情報端末装置１の全体的な動作の流れについて説明する。図１３は、情報端末装置１の動作を示すフローチャートである。
【００６２】
使用者は、例えば情報端末装置１を購入して使用を開始する際に、予め準備されている複数の入力要求パターンの中から、１つまたは複数のパターンを選択し、選択した入力要求パターンのそれぞれに対して、自らが決定したロック解除パターンを設定する。使用者が設定したロック解除パターンは、選択された入力要求パターンに関連づけられて、パターン記憶部４３へ記憶される。ここで、パターン記憶部４３へ記憶された入力要求パターンを、Ｖ１，Ｖ２，Ｖ３，・・・，Ｖｉ，・・・とする（ステップＳ１）。
【００６３】
次に、パラメータｋに初期値として１をセットして（ステップＳ２）、ステップＳ３へ進む。ステップＳ３においては、液晶ディスプレイ１１に、入力要求パターンＶｋを含むキーロック解除画面を表示する。
【００６４】
そして、使用者がタッチパネル１２から、キーロック解除のためのタッチ入力を行った場合は（ステップＳ４においてＹｅｓ）、ステップＳ６へ進む。一方、使用者がタッチパネル１２から、キーロック解除画面の選択操作を行った場合（ステップＳ４においてＮｏ）、ステップＳ５へ進む。ステップＳ５においては、選択操作にしたがってパラメータの値を１ずつ増加させるか減少させる。その後にステップＳ３へ戻ることにより、次の入力要求パターンＶｋ＋１を含むキーロック解除画面か、前の入力要求パターンＶｋ−１を含むキーロック解除画面を表示させる。
【００６５】
一方、ステップＳ６においては、照合部４４が、使用者が入力したパターンとロック解除パターンとを比較する。その結果に基づき、中央制御部３４が、キーロック解除をして良いか否かを判断する。また、ステップＳ６において、照合部４４が、使用者が入力したパターンとロック解除パターンとが一致したと判断した場合であっても、使用者がキーロック解除のためのパターン入力を終了するか否かを確認するために、ステップＳ７において、タッチ入力が中断されてから所定時間（例えば３秒）が経過するか否かを判断する。
【００６６】
ステップＳ７においてパターン入力が終了したと判断された後に、照合部４４が、使用者が入力したパターンとロック解除パターンとが一致したことを確認した場合は（ステップＳ８においてＹｅｓ）、中央制御部３４が、キーロックを解除する。一方、使用者が入力したパターンとロック解除パターンとが一致しなかった場合は（ステップＳ６またはステップＳ８においてＮｏ）、キーロック解除の入力に誤りがあると判断し、中央制御部３４は、液晶ディスプレイ１１への画像表示とタッチパネル１２からの入力受付動作とを引き続き行わせるが、キーロックの解除は行わない（ステップＳ９）。そして、キーロック解除操作のやり直しを使用者が要求した場合は（ステップＳ１０においてＹｅｓ）、ステップＳ１へ戻る。
【００６７】
情報端末装置１は、以上の流れにしたがって、タッチパネル１２を利用したキーロック解除処理を実行する。
【００６８】
［第１の実施形態の効果］
以上のとおり、第１の実施形態にかかる情報端末装置１によれば、予め入力要求パターンとロック解除パターンとをパターン記憶部４３に記憶しておき、入力要求パターンを液晶ディスプレイ１１に表示し、タッチパネル１２にタッチ入力を行わせる。すなわち、使用者は、入力要求パターンに対して、自分が決定したロック解除パターンを予め登録しておけば、記憶しているロック解除パターンのとおりにタッチ入力を行うことにより、キーロックを解除することができる。
【００６９】
このように、ロック解除パターンと同じパターンをタッチ入力によって入力させる手法をとることにより、以下の利点がある。まず、使用者が解除方法を容易に記憶でき、かつ、解除操作が簡易である。それに加えて、第三者がキーロックを解除することが難解となる、という利点もある。
【００７０】
従来、数字からなるパスワードを入力させてキーロックを解除する方法が知られている。０から９までの４桁数字の組み合わせからなるパスワードの場合、１０，０００通りが存在する。また、アルファベット２６文字から選んだ４桁のパスワードであれば、４５６，９７６通りであり、解読の難解性は非常に高い。しかし、数字やアルファベットの組み合わせは、現実的には、誕生日や家族の名前など使用者に何らかの因果関係を持つ組み合わせであることが多く、解読が比較的容易であるとも言われる。また、例えば、パスワードの入力場面を盗撮された場合等に、解読されてしまう可能性が高い。
【００７１】
一方で、第１の実施形態によれば、例えば、入力示唆領域を、水平方向５個かつ垂直方向５個の合計２５個とし、その中から４個の領域を選択して点を入力するロック解除パターンを用いる場合、ロック解除パターンは５３，１３０通りが存在する。これは数字４桁の場合よりも解読の難解性は十分に高い。また、図７Ａおよび図８Ａに示したように、入力示唆領域以外の箇所にロック解除パターンを存在させることにより、第三者にとって、ロック解除パターンの解読の難解性は極めて高くなる。
【００７２】
以上のとおり、第１の実施形態によれば、ロック解除操作の容易性と、解除方法の記憶の容易性と、盗撮された場合の解読困難性とを併せ持った情報端末装置を実現することができる。
【００７３】
［第２の実施形態］
本発明にかかる情報端末装置の他の実施形態について、以下に説明する。
【００７４】
ここに開示する第２の実施形態にかかる情報端末装置は、キーロック解除画面において、入力要求パターンが表示されない点において、第１の実施形態と異なっている。
【００７５】
また、第２の実施形態にかかる情報端末装置１では、使用者は、情報端末装置１のタッチパネル１２に対して任意のパターンをタッチ入力することにより、自らの好みのロック解除パターンを登録することができる。
【００７６】
例えば、図１４Ａに示すように、使用者がタッチパネル１２へ２本の線分Ｌ２およびＬ３を含むロック解除パターンを入力したものとする。図１４Ｂに示すように、入力された線分Ｌ２，Ｌ３を中心として、所定の幅を持った矩形状領域８１，８２が生成され、この矩形状領域８１，８２がロック解除パターンの入力許容範囲として決定される。なお、矩形状領域８１，８２の幅および長さは、適宜設定すれば良い。入力許容範囲として決定された矩形状領域８１，８２の位置情報は、パターン記憶部４３へ記憶される。
【００７７】
そして、照合部４４は、使用者により入力されたパターンと、パターン記憶部４３に記憶されたロック解除パターンとが合致するか否かを判断することにより、キーロックを解除して良いか否かを判断する。
【００７８】
なお、本実施形態の場合は、使用者は、入力要求パターンが表示されないので、記憶に基づいてロック解除パターンと同じパターンを、ロック解除画面の所定の領域（上記の例では矩形状領域８１，８２）内にタッチ入力する必要がある。したがって、入力要求パターンをロック解除画面に表示する第１の実施形態と比較して、解読困難性が高いという利点がある。
【００７９】
本実施形態によれば、図１４Ｃに示すようなロック解除パターンがパターン記憶部４３に記憶される。これに対して、図１４Ｄに示すようなパターン入力を行った場合、線分８３は矩形状領域８１内に収まるが、線分８４は矩形状領域８２内に収まらない。したがって、図１４Ｄに示すようなパターン入力を行った場合は、照合部４４は、入力パターンとロック解除パターンとが合致しないと判断するので、キーロックは解除されない。
【００８０】
なお、本実施形態においては、照合部４４は、入力されたパターンとロック解除パターンとを照合する際に、必要に応じて、入力されたパターンの水平移動、垂直移動、回転移動を行う構成とすることも好ましい。パターン入力の目処となる入力示唆領域を含む入力要求パターンが表示される第１の実施形態とは異なり、本実施形態においては、液晶ディスプレイ１１に入力要求パターンが表示されないからである。この構成の場合は、例えば図１４Ｃの例にあてはめれば、入力されたパターンが矩形状領域８１，８２内に入らなくても、入力されたパターンを水平移動、垂直移動、または回転移動させた結果が矩形状領域８１，８２に一致すれば、正しいロック解除パターンが入力されたものと判断する。これにより、ロック解除パターンの推測を困難としつつ、正規の使用者が拒絶されてしまうことを防止できる。
【００８１】
なお、図１４Ａ〜図１４Ｄを参照して説明した手法によれば、使用者が入力した線分から、それを包含する矩形状領域として、ロック解除パターンを生成した。しかし、第２の実施形態の変形例として、以下のような例も可能である。例えば、タッチ入力が行われたときに、一定の読取周期でサンプリングを行った結果、図１５Ａに示すように、線分９１，９２から、それぞれ点Ｐ１１〜Ｐ２４に示す座標を検出する。そして、第１の実施形態において説明したように、これらの点を中心として所定の大きさを有する拡大領域Ａ１１〜Ａ２４を生成し、これらの領域をロック解除パターンとしてパターン記憶部４３に記憶する。そして、照合部４４は、ロック解除パターンに含まれる拡大領域Ａ１１〜Ａ２４の全ての領域に、使用者がタッチ入力したパターンが過不足無く合致するか否かを判断することにより、入力パターンとロック解除パターンとの照合を行う。例えば、図１５Ｃの例では、使用者がタッチ入力したパターンの線分９５は拡大領域Ａ１１〜Ａ１５に合致するが、線分９６は拡大領域Ａ１６〜Ａ２４に合致しない。また、図１５Ｄの例においても、使用者がタッチ入力したパターンの線分９７は拡大領域Ａ１１〜Ａ１５に合致し、線分９８は拡大領域Ａ１６〜Ａ２１には合致するが、拡大領域Ａ２２〜Ａ２４に合致しない。したがって、図１５Ｃの例および図１５Ｄの例のいずれも、キーロックは解除されない。
【００８２】
［第２の実施形態の効果］
以上のとおり、第２の実施形態にかかる情報端末装置１は、入力要求パターンをロック解除画面に表示することなく、使用者にパターンを入力させる。したがって、第２の実施形態にかかる情報端末装置１は、入力要求パターンをロック解除画面に表示する第１の実施形態と比較して、より高い解読困難性を実現できるという利点がある。
【００８３】
また、第２の実施形態にかかる情報端末装置１によれば、使用者がタッチパネル１２へ自由に入力したパターンからロック解除パターンが生成され、パターン記憶部４３に記憶される。したがって、使用者は、記憶し易く、かつ、他人には推測されにくいロック解除パターンを、自分で作成して登録することができる。
【００８４】
［第３の実施形態］
本発明にかかる情報端末装置の他の実施形態について、以下に説明する。
【００８５】
ここに開示する第３の実施形態にかかる情報端末装置は、キーロック解除画面の入力要求パターンとして、将棋の盤面を表示する点において、第１および第２の実施形態と異なっている。なお、将棋とは、チェスに似たボードゲーム（board game）であり、移動できる範囲がそれぞれ定められた各種の駒を用いて、互いの駒を取り合い、最終的に相手の「王」の駒を取れば勝利するというルールの下で行われる。
【００８６】
第３の実施形態においては、使用者は、自らの好みにより選択した駒のいずれかを、自らの好みで決定した方向および距離へ移動させるルールを、ロック解除パターンとしてパターン記憶部４３へ記憶させる。
【００８７】
例えば、図１６に示した例においては、「角」の駒を、「左へ４マス、上へ２マス動かす」というルールをロック解除パターンとしてパターン記憶部４３へ記憶させる。なお、ここで、実際の将棋のルールにおける「角」の駒の移動ルールとは異なるように、ロック解除パターンを決定することが推奨される。人間の心理の裏をついて、より高い解読困難性を実現できるからである。
【００８８】
そして、第３の実施形態においては、キーロック解除画面を表示する毎に、入力要求パターンとして表示される将棋の盤面がランダムに変化することが好ましい。なお、盤面が変化したとしても、ロック解除パターンは、上述のとおり、例えば「角」の駒を「左へ４マス、上へ２マス動かす」というルールのままである。これにより、キーロック解除のための入力を行っているところを盗撮されたとしても、入力要求パターンがランダムに変化しているので、解読の困難性が向上する。
【００８９】
［第３の実施形態の効果］
以上のとおり、第３の実施形態によれば、キーロック解除画面における入力要求パターンを将棋の盤面とし、使用者が、自らが決定した駒を自らが決定したルールで動かすパターンをロック解除パターンとして予め登録する。これにより、使用者にとっては、ロック解除パターンを容易に記憶することができるという利点がある。また、キーロック解除画面を表示する毎に、入力要求パターンとして表示される将棋の盤面をランダムに変更することにより、入力要求パターンの数を極めて多く設けることができ、ロック解除用のパターンを入力しているところを仮に盗撮されたとしても、解読の困難性を維持できるという利点がある。
【００９０】
なお、ここでは、将棋の盤面を入力要求パターンとして用いる例を示したが、入力要求パターンとしては、例えばチェスの盤面等の、他のボードゲームのパターンを用いることも可能である。
【００９１】
［第１〜第３の実施形態の変形例］
以上、本発明についての実施形態を説明したが、本発明は上述の各実施形態にのみ限定されず、発明の範囲内で種々の変更が可能である。
【００９２】
例えば、上述の実施形態においては、タッチパネル付き液晶ディスプレイと、ハードウェアとしてのキーボードとを別途に備えた情報端末装置を例示した。しかし、本発明は、ハードウェアとしてのキーボードを備えず、タッチパネルディスプレイでソフトウェアキーボードを提供する情報端末装置にも適用可能である。
【００９３】
また、上述の実施形態においては、タッチパネルへの入力によってキーロックを解除する情報端末装置を例示したが、解除対象とするものはキーロックに限定されない。すなわち、当該情報端末装置の利用に関する様々な制約条件を解除するために、本発明を利用することができる。例えば、これらにのみ限定されないが、当該情報端末装置からの通信制限を解除したり、当該情報端末装置内に記憶されているデータへのアクセス制限を解除したり、当該情報端末装置に搭載されているアプリケーションプログラムの実行制限を解除したりする場合にも、本発明を適用することができる。
【産業上の利用可能性】
【００９４】
本発明は、タッチパネル入力を利用してキーロック解除が可能な情報端末装置として、産業上の利用が可能である。
【図１】
2011158768.tif 000003
【図２】
2011158768.tif 000004
【図３】
2011158768.tif 000005
【図４】
2011158768.tif 000006
【図５Ａ】
2011158768.tif 000007
【図５Ｂ】
2011158768.tif 000008
【図５Ｃ】
2011158768.tif 000009
【図６Ａ】
2011158768.tif 000010
【図６Ｂ】
2011158768.tif 000011
【図６Ｃ】
2011158768.tif 000012
【図７Ａ】
2011158768.tif 000013
【図７Ｂ】
2011158768.tif 000014
【図７Ｃ】
2011158768.tif 000015
【図８Ａ】
2011158768.tif 000016
【図８Ｂ】
2011158768.tif 000017
【図９Ａ】
2011158768.tif 000018
【図９Ｂ】
2011158768.tif 000019
【図９Ｃ】
2011158768.tif 000020
【図１０Ａ】
2011158768.tif 000021
【図１０Ｂ】
2011158768.tif 000022
【図１０Ｃ】
2011158768.tif 000023
【図１１Ａ】
2011158768.tif 000024
【図１１Ｂ】
2011158768.tif 000025
【図１１Ｃ】
2011158768.tif 000026
【図１２Ａ】
2011158768.tif 000027
【図１２Ｂ】
2011158768.tif 000028
【図１２Ｃ】
2011158768.tif 000029
【図１３】
2011158768.tif 000030
【図１４Ａ】
2011158768.tif 000031
【図１４Ｂ】
2011158768.tif 000032
【図１４Ｃ】
2011158768.tif 000033
【図１４Ｄ】
2011158768.tif 000034
【図１５Ａ】
2011158768.tif 000035
【図１５Ｂ】
2011158768.tif 000036
【図１５Ｃ】
2011158768.tif 000037
【図１５Ｄ】
2011158768.tif 000038
【図１６】
2011158768.tif 000039
【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
表示部とタッチパネルとを備えた情報端末装置であって、
当該情報端末装置の利用制限を解除するために前記タッチパネルへ入力される解除パターンを、図形パターンとして使用者に指定させて記憶するパターン記憶部と、
前記タッチパネルへ入力された入力パターンと前記解除パターンとが合致するか否かを判断する照合部と、
前記照合部において入力パターンと前記解除パターンとが合致すると判断された場合に、当該情報端末装置の利用制限を解除する制御部とを備え、
前記パターン記憶部に、前記解除パターンの入力を示唆する入力要求パターンが記憶されており、
当該情報端末装置の利用制限を解除する際には、前記表示部に前記入力要求パターンを表示し、
前記入力要求パターンが、前記解除パターンの入力を示唆するための複数の入力示唆領域を含み、
前記解除パターンは、前記複数の入力示唆領域の少なくとも一部の入力示唆領域と、前記複数の入力示唆領域以外の領域とに基づいて設定される、情報端末装置。
【請求項２】
表示部とタッチパネルとを備えた情報端末装置であって、
当該情報端末装置の利用制限を解除するために前記タッチパネルへ入力される解除パターンを、図形パターンとして使用者に指定させて記憶するパターン記憶部と、
前記タッチパネルへ入力された入力パターンと前記解除パターンとが合致するか否かを判断する照合部と、
前記照合部において入力パターンと前記解除パターンとが合致すると判断された場合に、当該情報端末装置の利用制限を解除する制御部とを備え、
前記パターン記憶部に、前記解除パターンの入力を示唆する入力要求パターンが記憶されており、
当該情報端末装置の利用制限を解除する際には、前記表示部に前記入力要求パターンを表示し、
前記入力要求パターンが、前記解除パターンの入力を示唆するための複数の入力示唆領域を含み、
前記解除パターンは、前記入力示唆領域の外に存在するパターンとして設定される、情報端末装置。
【請求項３】
前記パターン記憶部に、前記解除パターンの入力を示唆する入力要求パターンが複数記憶されており、
当該情報端末装置の利用制限を解除する際には、前記表示部に前記複数の入力要求パターンから選択された入力要求パターンを表示する、請求項１または２に記載の情報端末装置。
【請求項４】
前記タッチパネルへ使用者が入力したパターンから前記解除パターンを生成して前記パターン記憶部へ記憶させるパターン生成部をさらに備えた、請求項１ないし３のいずれか一項に記載の情報端末装置。
【国際調査報告】
2011158768.tif 000040
2011158768.tif 000041